(57)【特許請求の範囲】
【請求項１】
信号を送信および受信する通信モジュールと、
複数のモジュールを保存する保存ユニットと、
前記通信モジュールおよび前記保存ユニットに結合され、前記保存ユニットに記録された前記モジュールにアクセスして実行する処理ユニットと、
を含み、前記モジュールが、
前記通信モジュールを介して少なくとも１つのデバイス機能操作を実行するデバイス管理モジュールと、
グラフィカル管理インターフェースを提供する管理インターフェースモジュールと、
を含み、前記デバイス管理モジュールが、前記グラフィカル管理インターフェースの制御操作に応じて、前記制御操作に対応する前記少なくとも１つのデバイス機能操作を実行し、
前記少なくとも１つのデバイス機能操作が、情報収集操作および構成設定操作のうちの１つ、またはその組み合わせを含み、前記デバイス管理モジュールが、前記通信モジュールを介して少なくとも１つのＩＰ接続機器に対し前記情報収集操作または前記構成設定操作を実行し、前記少なくとも１つのＩＰ接続機器の関連情報を取得し、あるいは前記制御操作に対応する前記少なくとも１つのＩＰ接続機器を設定し、
前記少なくとも１つのＩＰ接続機器が少なくとも１つの未知のＩＰ接続機器を含み、
前記デバイス管理モジュールが、前記通信モジュールを介して前記少なくとも１つの未知のＩＰ接続機器にリクエストし、前記少なくとも１つの未知のＩＰ接続機器のネットワークアドレス情報を取得し、前記デバイス管理モジュールが、前記ネットワークアドレス情報に基づいてスクリプトプログラムを実行するとともに、前記スクリプトプログラムを介して前記少なくとも１つの未知のＩＰ接続機器の前記情報収集操作または前記構成設定操作を実行するネットワークスイッチ。
【請求項２】
前記デバイス管理モジュールが、少なくとも１つのネットワークプロトコルに基づいて、前記制御操作に対応する制御信号を生成するとともに、前記通信モジュール内の対応する接続ポートを介して前記制御信号を送信して、前記少なくとも１つのデバイス機能操作を実行し、前記制御操作が、前記少なくとも１つのＩＰ接続機器または別のネットワークスイッチに対応する請求項１に記載のネットワークスイッチ。
【請求項３】
前記管理インターフェースモジュールが、前記グラフィカル管理インターフェースを介して前記少なくとも１つのＩＰ接続機器の前記関連情報を提示する請求項２に記載のネットワークスイッチ。
【請求項４】
前記グラフィカル管理インターフェースが、トポロジーモード、フロアモード、およびマップモードのうちの１つ、またはその組み合わせを提供し、前記管理インターフェースモジュールが、前記制御操作に応じて、上述したモードのうちの１つを介して前記少なくとも１つのＩＰ接続機器の前記関連情報を提示する請求項３に記載のネットワークスイッチ。
【請求項５】
前記少なくとも１つのデバイス機能操作が、ノード検索操作を含み、前記デバイス管理モジュールが、前記制御操作に対応する前記少なくとも１つのＩＰ接続機器に基づいて、前記ノード検索操作を実行して、警告制御指令を含む前記制御信号を生成し、前記警告制御指令が、前記少なくとも１つのＩＰ接続機器を制御して、警告行為を実行するよう構成された請求項２〜４のいずれか１項に記載のネットワークスイッチ。
【請求項６】
前記少なくとも１つのデバイス機能操作が、システムログイン操作を含み、前記デバイス管理モジュールが、前記システムログイン操作を実行して、前記通信モジュールを介して前記少なくとも１つのＩＰ接続機器にログインするとともに、前記少なくとも１つのＩＰ接続機器の管理システムに対してプロキシ操作を実行する請求項２〜５のいずれか１項に記載のネットワークスイッチ。
【請求項７】
前記モジュールが、さらに、
前記少なくとも１つのＩＰ接続機器が前記通信モジュールを介して前記保存ユニット内の少なくとも１つのファイルにアクセスできるようするファイルアクセスモジュールを含む請求項２〜６のいずれか１項に記載のネットワークスイッチ。
【請求項８】
通信モジュールを有するネットワークスイッチに適用されるデバイス管理方法であって、前記ネットワークスイッチが、少なくとも１つのＩＰ接続機器に直接または間接的に結合され、前記デバイス管理方法が、
グラフィカル管理インターフェースを提供するステップと、
前記グラフィカル管理インターフェースの制御操作に応じて、前記通信モジュールを介して前記制御操作に対応する少なくとも１つのデバイス機能操作を実行するステップと、
を含み、前記制御操作が、前記少なくとも１つのＩＰ接続機器または別のネットワークスイッチに対応し、
前記少なくとも１つのデバイス機能操作が、情報収集操作および構成設定操作のうちの１つ、またはその組み合わせを含み、前記少なくとも１つのＩＰ接続機器が、少なくとも１つの未知のＩＰ接続機器を含み、
前記通信モジュールを介して前記制御操作に対応する前記少なくとも１つのデバイス機能操作を実行する前記ステップが、
前記通信モジュールを介して前記少なくとも１つのＩＰ接続機器に対し前記情報収集操作または前記構成設定操作を実行し、前記少なくとも１つのＩＰ接続機器の関連情報を取得する、あるいは前記制御操作に対応する前記少なくとも１つのＩＰ接続機器を設定するステップと、
前記通信モジュールを介して前記少なくとも１つの未知のＩＰ接続機器にリクエストし、前記少なくとも１つの未知のＩＰ接続機器のネットワークアドレス情報を取得するステップと、
前記ネットワークアドレス情報に基づいて、スクリプトプログラムを実行するステップと、
前記スクリプトプログラムを介して、前記少なくとも１つの未知のＩＰ接続機器の前記情報収集操作または前記構成設定操作を実行するステップと、
を含むデバイス管理方法。
【請求項９】
前記通信モジュールを介して前記制御操作に対応する前記少なくとも１つのデバイス機能操作を実行する前記ステップが、
少なくとも１つのネットワークプロトコルに基づいて、前記制御操作に対応する制御信号を生成するとともに、前記通信モジュール内の対応する接続ポートを介して前記制御信号を送信し、前記少なくとも１つのデバイス機能操作を実行するステップを含む請求項８に記載のデバイス管理方法。
【請求項１０】
前記通信モジュールを介して前記制御操作に対応する前記少なくとも１つのデバイス機能操作を実行する前記ステップが、
前記グラフィカル管理インターフェースを介して、前記少なくとも１つのＩＰ接続機器の前記関連情報を提示するステップと、
をさらに含む請求項９に記載のデバイス管理方法。
【請求項１１】
前記グラフィカル管理インターフェースが、トポロジーモード、フロアモード、およびマップモードのうちの１つ、またはその組み合わせを提供し、前記通信モジュールを介して前記制御操作に対応する前記少なくとも１つのデバイス機能操作を実行する前記ステップが、
前記制御操作に応じて、上述したモードのうちの１つを介して前記少なくとも１つのＩＰ接続機器の前記関連情報を提示するステップを含む請求項１０に記載のデバイス管理方法。
【請求項１２】
前記少なくとも１つのデバイス機能操作が、ノード検索操作を含み、前記通信モジュールを介して前記制御操作に対応する前記少なくとも１つのデバイス機能操作を実行する前記ステップが、
前記制御操作に対応する前記少なくとも１つのＩＰ接続機器に基づいて、前記ノード検索操作を実行し、警告制御指令を含む前記制御信号を生成するステップと、
受信した前記警告制御指令に応じて、前記少なくとも１つのＩＰ接続機器が警告行為を行うステップと、
を含む請求項９〜１１のいずれか１項に記載のデバイス管理方法。
【請求項１３】
前記少なくとも１つのデバイス機能操作が、システムログイン操作を含み、前記通信モジュールを介して前記制御操作に対応する前記少なくとも１つのデバイス機能操作を実行する前記ステップが、
前記システムログイン操作を実行し、前記通信モジュールを介して１つのＩＰ接続機器にログインするステップと、
前記ＩＰ接続機器の管理システムに対してプロキシ操作を実行するステップと、
を含む請求項９〜１２のいずれか１項に記載のデバイス管理方法。
【請求項１４】
前記ネットワークスイッチが、保存ユニットを含み、前記デバイス管理方法が、さらに、
前記少なくとも１つのＩＰ接続機器が前記通信モジュールを介して前記保存ユニット内の少なくとも１つのファイルにアクセスできるようにするステップを含む請求項９〜１３のいずれか１項に記載のデバイス管理方法。
【請求項１５】
少なくとも１つのＩＰ接続機器と、
前記少なくとも１つのＩＰ接続機器に直接または間接的に結合された少なくとも１つのネットワークスイッチと、
を含み、前記少なくとも１つのネットワークスイッチのそれぞれが、グラフィカル管理インターフェースを提供するとともに、前記グラフィカル管理インターフェース上の制御操作に応じて、前記制御操作に対応するデバイス機能操作を実行し、前記制御操作が、前記少なくとも１つのＩＰ接続機器または別のネットワークスイッチに対応し、
前記少なくとも１つのデバイス機能操作が、情報収集操作および構成設定操作のうちの１つ、またはその組み合わせを含み、前記少なくとも１つのネットワークスイッチが、前記少なくとも１つのＩＰ接続機器に対し前記情報収集操作または前記構成設定操作を実行し、前記少なくとも１つのＩＰ接続機器の関連情報を取得し、あるいは前記制御操作に対応する前記少なくとも１つのＩＰ接続機器を設定し、
前記少なくとも１つのＩＰ接続機器が少なくとも１つの未知のＩＰ接続機器を含み、
前記少なくとも１つのネットワークスイッチが、前記少なくとも１つの未知のＩＰ接続機器にリクエストし、前記少なくとも１つの未知のＩＰ接続機器のネットワークアドレス情報を取得し、前記少なくとも１つのネットワークスイッチが、前記ネットワークアドレス情報に基づいてスクリプトプログラムを実行するとともに、前記スクリプトプログラムを介して前記少なくとも１つの未知のＩＰ接続機器の前記情報収集操作または前記構成設定操作を実行するデバイス管理システム。
【発明の詳細な説明】
【技術分野】
【０００１】
本発明は、ネットワーク管理方法に関するものであり、特に、ネットワークスイッチ、デバイス管理システム、およびそのデバイス管理方法に関するものである。
【背景技術】
【０００２】
情報技術の急速な発展に伴い、様々な電子機器が日々普及した。資源共有の目的を達成するため、ネットワークが情報交換の標準装備となって、商用および家庭用ＩＰ接続機器（例えば、スマートフォン、スマートカメラ、無線ルーター、スマートテレビ等）を急速に成長させた。その中でも、ネットワークスイッチは、高速情報交換等の特徴により、ネットワーク情報交換において重要な設備になっている。
【０００３】
一方、商用および家庭用ＩＰ接続機器の急速な成長に伴い、集中管理が困難なだけでなく、ネットワーク管理者が設備に生じた問題をすぐに知ることも困難になった。さらに、従来のネットワークスイッチは、ネットワーク構成設定を提供して、そこに接続されたＩＰ接続機器を制御することができる。しかしながら、従来のネットワークスイッチは、コマンドラインインターフェース（Ｃｏｍｍａｎｄ−Ｌｉｎｅ  Ｉｎｔｅｒｆａｃｅ，ＣＬＩ）とウェブページユーザーインターフェース（Ｗｅｂｐａｇｅ  Ｕｓｅｒ  Ｉｎｔｅｒｆａｃｅ，Ｗｅｂ  ＵＩ）しか提供しないため、ネットワーク関連技術の専門職員が設定を行う必要があるだけでなく、その環境における全てのＩＰ接続機器の設定を完了するために、複雑な操作を必要とする。ネットワーク構成設定の他に、従来のＣＬＩおよびＷｅｂ  ＵＩは、性能管理やトラブルシューティング（ｔｒｏｕｂｌｅｓｈｏｏｔｉｎｇ）問題に関して、一般大衆やネットワーク管理者にさえも多くの支障をもたらす。
【発明の概要】
【発明が解決しようとする課題】
【０００４】
従来のネットワークスイッチは、ＣＬＩとＷｅｂ  ＵＩしか提供しないため、ネットワーク関連技術の専門職員が設定を行う必要があるだけでなく、その環境における全てのＩＰ接続機器の設定を完了するために、複雑な操作を必要とする。ネットワーク構成設定の他に、従来のＣＬＩおよびＷｅｂ  ＵＩは、性能管理やトラブルシューティング（ｔｒｏｕｂｌｅｓｈｏｏｔｉｎｇ）問題に関して、一般大衆やネットワーク管理者にさえも多くの支障をもたらす。
【課題を解決するための手段】
【０００５】
本発明は、グラフィカルネットワーク管理システム（ｎｅｔｗｏｒｋ  ｍａｎａｇｅｍｅｎｔ  ｓｙｓｔｅｍ，ＮＭＳ）およびデバイス管理システム（ｄｅｖｉｃｅ  ｍａｎａｇｅｍｅｎｔ  ｓｙｓｔｅｍ，ＤＭＳ）をネットワークスイッチに埋め込むことにより、ネットワーク管理者または一般大衆さえもＩＰ接続機器をより便利に操作できるようにするネットワークスイッチ、デバイス管理システム、およびそのデバイス管理方法を提供する。
【０００６】
本発明は、通信モジュールと、保存ユニットと、処理ユニットとを含むネットワークスイッチを提供する。通信モジュールは、信号を送信および受信するよう構成される。保存ユニットは、複数のモジュールを保存するよう構成される。処理ユニットは、通信モジュールおよび保存ユニットに結合され、保存ユニットに記録されたモジュールにアクセスして実行する。モジュールは、デバイス管理モジュールと、管理インターフェースモジュールとを含む。デバイス管理モジュールは、通信モジュールを介してデバイス機能操作を実行する。管理インターフェースモジュールは、グラフィカル管理インターフェースを提供する。グラフィカル管理インターフェースの制御操作に応じて、デバイス管理モジュールは、制御操作に対応するデバイス機能操作を実行する。
【０００７】
本発明の１つの実施形態において、デバイス管理モジュールは、ネットワークプロトコルに基づいて、制御操作に対応する制御信号を生成するとともに、通信モジュール内の対応する接続ポートを介して制御信号を送信し、デバイス機能操作を実行する。制御操作は、ＩＰ接続機器または別のネットワークスイッチに対応する。
【０００８】
本発明の１つの実施形態において、デバイス機能操作は、情報収集操作および構成設定操作のうちの１つ、またはその組み合わせを含む。デバイス管理モジュールは、通信モジュールを介してＩＰ接続機器に対し情報収集操作または構成設定操作を実行し、ＩＰ接続機器の関連情報を取得する、あるいは制御操作に対応するＩＰ接続機器を設定する。さらに、管理インターフェースモジュールは、グラフィカル管理インターフェースを介してＩＰ接続機器の関連情報を提示する。
【０００９】
本発明の１つの実施形態において、グラフィカル管理インターフェースは、トポロジー（ｔｏｐｏｌｏｇｙ）モード、フロアモード、およびマップモードのうちの１つ、またはその組み合わせを提供する。制御操作に応じて、管理インターフェースモジュールは、上述したモードのうちの１つを介してＩＰ接続機器の関連情報を提示する。
【００１０】
本発明の１つの実施形態において、ＩＰ接続機器の関連情報は、ネットワークアドレス情報を含む。デバイス管理モジュールは、ネットワークアドレス情報に基づいてスクリプト（ｓｃｒｉｐｔ）プログラムを実行するとともに、スクリプトプログラムを介して情報収集操作または構成設定操作を実行する。
【００１１】
本発明の１つの実施形態において、デバイス機能操作は、ノード検索操作を含む。デバイス管理モジュールは、制御操作に対応するＩＰ接続機器に基づいて、ノード検索操作を実行し、警告制御指令を含む制御信号を生成する。警告制御指令は、ＩＰ接続機器を制御して、警告行為を実行するよう構成される。
【００１２】
本発明の１つの実施形態において、デバイス機能操作は、システムログイン操作を含む。デバイス管理モジュールは、システムログイン操作を実行し、通信モジュールを介してＩＰ接続機器にログインするとともに、ＩＰ接続機器の管理システムに対してプロキシ操作を実行する。
【００１３】
本発明の１つの実施形態において、モジュールは、さらに、ファイルアクセスモジュールを含む。ファイルアクセスモジュールは、ＩＰ接続機器が通信モジュールを介して保存ユニット内のファイルにアクセスできるよう構成される。
【００１４】
本発明は、また、通信モジュールを有するネットワークスイッチに適用されるデバイス管理方法を提供する。ネットワークスイッチは、ＩＰ接続機器に直接または間接的に結合される。デバイス管理方法は、以下のステップを含む。グラフィカル管理インターフェースを提供する。グラフィカル管理インターフェースの制御操作に応じて、通信モジュールを介して制御操作に対応するデバイス機能操作を実行する。制御操作は、ＩＰ接続機器または別のネットワークスイッチに対応する。
【００１５】
本発明の１つの実施形態において、通信モジュールを介して制御操作に対応するデバイス機能操作を実行するステップは、以下のステップを含む。ネットワークプロトコルに基づいて、制御操作に対応する制御信号を生成するとともに、通信モジュール内の対応する接続ポートを介して制御信号を送信し、デバイス機能操作を実行する。
【００１６】
本発明の１つの実施形態において、デバイス機能操作は、情報収集操作および構成設定操作のうちの１つ、またはその組み合わせを含み、通信モジュールを介して制御操作に対応するデバイス機能操作を実行するステップは、以下のステップを含む。通信モジュールを介してＩＰ接続機器に対し情報収集操作または構成設定操作を実行し、ＩＰ接続機器の関連情報を取得する、あるいは制御操作に対応するＩＰ接続機器を設定する。グラフィカル管理インターフェースを介して、ＩＰ接続機器の関連情報を提示する。
【００１７】
本発明の１つの実施形態において、グラフィカル管理インターフェースは、トポロジーモード、フロアモード、およびマップモードのうちの１つ、またはその組み合わせを提供し、通信モジュールを介して制御操作に対応するデバイス機能操作を実行するステップは、以下のステップを含む。制御操作に応じて、上述したモードのうちの１つを介してＩＰ接続機器の関連情報を提示する。
【００１８】
本発明の１つの実施形態において、ＩＰ接続機器の関連情報は、ネットワークアドレス情報を含み、通信モジュールを介して制御操作に対応するデバイス機能操作を実行するステップは、以下のステップを含む。ネットワークアドレス情報に基づいて、スクリプトプログラムを実行する。スクリプトプログラムを介して、情報収集操作または構成設定操作を実行する。
【００１９】
本発明の１つの実施形態において、デバイス機能操作は、ノード検索操作を含み、通信モジュールを介して制御操作に対応するデバイス機能操作を実行するステップは、以下のステップを含む。制御操作に対応するＩＰ接続機器に基づいて、ノード検索操作を実行し、警告制御指令を含む制御信号を生成する。受信した警告制御指令に応じて、ＩＰ接続機器が警告行為を行う。
【００２０】
本発明の１つの実施形態において、デバイス機能操作は、システムログイン操作を含み、通信モジュールを介して制御操作に対応するデバイス機能操作を実行するステップは、以下のステップを含む。システムログイン操作を実行し、通信モジュールを介して１つのＩＰ接続機器にログインする。その後、ＩＰ接続機器の管理システムに対してプロキシ操作を実行する。
【００２１】
本発明の１つの実施形態において、ネットワークスイッチは、保存ユニットを含み、デバイス管理方法は、さらに、以下のステップを含む。ＩＰ接続機器が通信モジュールを介して保存ユニット内のファイルにアクセスできるようにする。
【００２２】
本発明は、さらに、ＩＰ接続機器およびネットワークスイッチを含むデバイス管理システムを提供する。ネットワークスイッチは、ＩＰ接続機器に直接または間接的に結合される。各ネットワークスイッチは、グラフィカル管理インターフェースを提供する。グラフィカル管理インターフェースの制御操作に応じて、各ネットワークスイッチは、制御操作に対応するデバイス機能操作を実行する。制御操作は、ＩＰ接続機器または別のネットワークスイッチに対応する。
【発明の効果】
【００２３】
以上のように、本発明の実施形態に基づくネットワークスイッチ、デバイス管理システム、およびそのデバイス管理方法は、埋め込まれたグラフィカル管理インターフェースを提供するため、ネットワーク管理者は、より便利に操作を行うことができる。また、ネットワークスイッチは、グラフィカル管理インターフェース上のＩＰ接続機器の構成設定または制御操作を検出することにより、選択されたＩＰ接続機器または別のネットワークスイッチのデバイス機能操作を実行する。
【００２４】
本発明の上記および他の目的、特徴、および利点をより分かり易くするため、図面と併せた幾つかの実施形態を以下に説明する。
【００２５】
添付図は本発明のさらなる理解を供するために含まれ、本発明中に組み込まれてその一部を構成する。図は本発明の実施形態を例示し、説明と共に、本発明の原理を説明する。
【図面の簡単な説明】
【００２６】
【図１】本発明の１つの実施形態に係るデバイス管理システムを示す概略図である。
【図２】ネットワークスイッチのブロック図である。
【図３】本発明の１つの実施形態に係るデバイス管理方法を示すフローチャートである。
【図４Ａ】トポロジーモードの例である。
【図４Ｂ】フロアモードの例である。
【図４Ｃ】マップモードの例である。
【図５】フィルタリングプログラムインターフェースの例である。
【図６Ａ】デバイス機能オプションの例である。
【図６Ｂ】デバイス機能オプションの別の例である。
【発明を実施するための形態】
【００２７】
以下、添付の図面を例として、本発明の実施形態を詳細に説明する。各図面および関連説明において、同一または類似する構成要素には、同一の参照番号を使用する。
【００２８】
図１は、本発明の１つの実施形態に係るデバイス管理システムを示す概略図である。図１を参照すると、デバイス管理システム１００は、１つまたはそれ以上のＩＰ接続機器１１０と、１つまたはそれ以上のネットワークスイッチ１５０とを含む。言及すべきこととして、ＩＰ接続機器１１０およびネットワークスイッチ１５０の数は、図１に示した数に限定されず、本発明の実施形態を応用する者によって変更可能である。
【００２９】
ＩＰ接続機器１１０は、少なくとも１つのネットワークプロトコル（例えば、インターネットプロトコル（Ｉｎｔｅｒｎｅｔ  Ｐｒｏｔｏｃｏｌ，ＩＰ）、伝送制御プロトコル（Ｔｒａｎｓｍｉｓｓｉｏｎ  Ｃｏｎｔｒｏｌ  Ｐｒｏｔｏｃｏｌ，ＴＣＰ）、ユーザーデータグラムプロトコル（Ｕｓｅｒ  Ｄａｔａｇｒａｍ  Ｐｒｏｔｏｃｏｌ，ＵＤＰ）等）に基づいて別のＩＰ接続機器１１０およびネットワークスイッチ１５０とのデータ送信を行うことのできる、あるいはインターネットに接続することのできるコンピュータ、無線ルーター、サーバー、スマートフォン、表示装置、スマートカメラ、ネットワークスイッチ等の電子機器であってもよい。
【００３０】
次に、図２を参照すると、図２は、ネットワークスイッチ１５０の素子を示すブロック図であり、ネットワークスイッチ１５０は、少なくとも通信モジュール１５１と、保存ユニット１５３と、処理ユニット１５５とを含む。通信モジュール１５１は、少なくともＩＥＥＥ  ８０２．３／ａｂ／ｕ／ｘ／ｚイーサネット（Ｅｔｈｅｒｎｅｔ）規格をサポートし、１つまたはそれ以上の接続ポート１５１＿１〜１５１＿Ｎを含み、Ｎは、正の整数である。各接続ポート１５１＿１〜１５１＿Ｎは、送信速度が１０または１００Ｍｂｐｓおよび／または１または１０ＧｂｐｓのＲＪ４５または光ファイバー（例えば、スモールフォームファクタプラガブル（Ｓｍａｌｌ  Ｆｏｒｍ−ｆａｃｔｏｒ  Ｐｌｕｇｇａｂｌｅ，ＳＦＰ））を含むインターフェースをサポートすることができる。各ＩＰ接続機器１１０は、接続ポート１５１＿１〜１５１＿Ｎを介してそれぞれネットワークスイッチ１５０に直接または間接的に接続される。言及すべきこととして、通信モジュール１５１は、ＩＥＥＥ  ８０２．１Ｑ／ｐ／Ｘ／Ｄ／ｗ／ＡＢ規格もサポートすることができ、異なる設計要求に応じて調整可能であるため、本発明の実施形態はこれに限定されない。間接接続は、他のネットワークスイッチ１５０またはルーター等の設備がＩＰ接続機器１１０とネットワークスイッチ１５０の間でカスケード接続されることを示す。
【００３１】
保存ユニット１５３は、ランダムアクセスメモリ（ｒａｎｄｏｍ  ａｃｃｅｓｓ  ｍｅｍｏｒｙ，ＲＡＭ）、読み出し専用メモリ（ｒｅａｄ−ｏｎｌｙ  ｍｅｍｏｒｙ，ＲＯＭ）、フラッシュメモリ（ｆｌａｓｈ  ｍｅｍｏｒｙ）、または他の類似デバイス、あるいは上述したデバイスの組み合わせを含む任意の可能な形態の固定または移動可能デバイスであってもよい。本実施形態において、保存ユニット１５３は、デバイス管理モジュール１５３＿１、管理インターフェースモジュール１５３＿３、およびファイルアクセスモジュール１５３＿５を含むソフトウェアプログラム、未知のＩＰ接続機器１１０の関連情報を取得する、または未知のＩＰ接続機器１１０を設定するよう構成されたスクリプトプログラム、ウェブサーバープログラム、ＩＰ接続機器１１０の関連情報、および様々な種類のデータファイルを記録するよう構成される。各モジュール１５３＿１、１５３＿３、および１５３＿５、スクリプトプログラム、およびウェブサーバープログラムの詳細説明については、下記の実施形態において後述する。
【００３２】
処理ユニット１５５は、通信モジュール１５１および保存ユニット１５３に接続され、中央処理装置（ｃｅｎｔｒａｌ  ｐｒｏｃｅｓｓｉｎｇ  ｕｎｉｔ，ＣＰＵ）または他のプログラム可能な一般用途または特殊用途のマイクロプロセッサ（ｍｉｃｒｏｐｒｏｃｅｓｓｏｒ）、デジタル信号プロセッサ（Ｄｉｇｉｔａｌ  Ｓｉｇｎａｌ  Ｐｒｏｃｅｓｓｏｒ，ＤＳＰ）、プログラマブルコントローラ（ｐｒｏｇｒａｍｍａｂｌｅ  ｃｏｎｔｒｏｌｌｅｒ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，ＡＳＩＣ）、または他の類似する素子、あるいは上述した素子の組み合わせであってもよい。本発明の本実施形態において、処理ユニット１５５は、ネットワークスイッチ１５０の全てのタスクを実行するよう構成され、保存ユニット１５３に記録されたモジュールにアクセスして実行することができる。
【００３３】
本発明の実施形態における操作手順をより理解しやすくするため、以下、様々な実施形態を提供し、本発明の実施形態におけるデバイス管理システム１００のデバイス管理方法についてさらに説明する。図３は、本発明の１つの実施形態に係るデバイス管理システムを示すフローチャートである。図３を参照すると、本実施形態の方法は、図１のＩＰ接続機器１１０およびネットワークスイッチ１５０に適用される。以下、ＩＰ接続機器１１０およびネットワークスイッチ１５０における様々な素子及びモジュールを参照して、本発明の実施形態に基づく方法について説明する。デバイス管理方法の各ステップは、実際の状況に応じて調整可能であるため、本発明はこれに限定されない。
【００３４】
ステップＳ３１０において、ネットワークスイッチ１５０の管理インターフェースモジュール１５３＿３は、グラフィカル管理インターフェースを提供する。詳しく説明すると、管理インターフェースモジュール１５３＿３は、例えば、ハイパーテキスト転送プロトコル（ＨｙｐｅｒＴｅｘｔ  Ｔｒａｎｓｆｅｒ  Ｐｒｏｔｏｃｏｌ，ＨＴＴＰ）サーバー（またはウェブサーバー）（例えば、アパッチサーバー（Ａｐａｃｈｅ  ｓｅｒｖｅｒ）、インターネット情報サーバー（Ｉｎｔｅｒｎｅｔ  Ｉｎｆｏｒｍａｔｉｏｎ  Ｓｅｒｖｅｒ，ＩＩＳ））プログラムであり、接続ポート１５１＿１〜１５１＿Ｎ、ＲＳ−２３２シリアルポート、またはユニバーサルシリアルバス（Ｕｎｉｖｅｒｓａｌ  Ｓｅｒｉａｌ  Ｂｕｓ，ＵＳＢ）を介して、あるいはインターネットを介してネットワークスイッチ１５０に接続された他の電子機器（例えば、デスクトップパソコン、ノート型パソコン等）またはＩＰ接続機器１１０にウェブページインターフェースを提供する。ＩＰ接続機器１１０または他の電子機器は、ウェブブラウザ（またはＨＴＴＰプロトコル、テルネット（Ｔｅｌｎｅｔ）、またはユニバーサルプラグアンドプレイ（Ｕｎｉｖｅｒｓａｌ  Ｐｌｕｇ  ａｎｄ  Ｐｌａｙ，ＵＰｎＰ）プロトコルに基づいて関連プログラム）を実行するとともに、特殊ネットワークアドレス（例えば、ＩＰアドレス、ポート番号等）を入力して、グラフィカル管理インターフェースにロードすることができる。
【００３５】
グラフィカル管理インターフェースの寸法やレイアウト構成は、上述したＩＰ接続機器の表示ユニットの規格または寸法調整タスク（例えば、ユーザーにより実行され、管理インターフェースモジュール１５３＿３により検出されたグラフィカル管理インターフェース上の調整）に基づいて、動的に変更してもよい。例えば、グラフィカル管理インターフェースは、携帯電話インターフェース、タブレットインターフェース、コンピュータインターフェース等の形態であってもよい。
【００３６】
言及すべきこととして、管理インターフェースモジュール１５３＿３は、ＩＰ接続機器１１０または他の電子機器の他のグラフィカルユーザーインターフェース（ｇｒａｐｈｉｃａｌ  ｕｓｅｒ  ｉｎｔｅｒｆａｃｅｓ，ＧＵＩ）プログラムを起動して、グラフィカル管理インターフェースにロードしてもよい。さらに、本発明の実施形態の管理インターフェースモジュール１５３＿３は、ネットワークスイッチ１５０に埋め込まれる。つまり、ネットワークスイッチ１５０は、追加でプログラムをインストールしなくても、グラフィカル管理インターフェースを直接提供することができる。したがって、一般大衆にとって、複雑なプログラムインストールステップが排除される。一方、管理インターフェースモジュール１５３＿３は、ＣＬＩおよびＷｅｂ  ＵＩも提供するため、操作する者にとって、設定方法がよりフレキシブルになる。
【００３７】
１つの実施形態において、操作管理モジュール１５３＿１により提供されるデバイス機能操作は、情報収集操作を含む。操作管理モジュール１５３＿１は、通信モジュール１５１を介してＩＰ接続機器１１０に対し情報収集操作を実行し、ＩＰ接続機器１１０の関連情報を取得することができる。管理インターフェースモジュール１５３＿３は、グラフィカル管理インターフェースを介してＩＰ接続機器１１０の関連情報を提示することができる。
【００３８】
詳しく説明すると、ＩＰ接続機器１１０に対応する通信プロトコル（例えば、アドレス解決プロトコル（Ａｄｄｒｅｓｓ  Ｒｅｓｏｌｕｔｉｏｎ  Ｐｒｏｔｏｃｏｌ，ＡＲＰ）、ＵＰｎＰ、リンク層検出プロトコル（Ｌｉｎｋ  Ｌａｙｅｒ  ｄｉｓｃｏｖｅｒｙ  ｐｒｏｔｏｃｏｌ，ＬＬＤＰ）、オープンネットワークビデオインターフェイスフォーラム（Ｏｐｅｎ  Ｎｅｔｗｏｒｋ  Ｖｉｄｅｏ  Ｉｎｔｅｒｆａｃｅ  Ｆｏｒｕｍ，ＯＮＶＩＦ）、ネットワーク基本入出力システム（Ｎｅｔｗｏｒｋ  Ｂａｓｉｃ  Ｉｎｐｕｔ／Ｏｕｔｐｕｔ  Ｓｙｓｔｅｍ，ＮｅｔＢＩＯＳ）、シンプルネットワークマネージメントプロトコル（Ｓｉｍｐｌｅ  Ｎｅｔｗｏｒｋ  Ｍａｎａｇｅｍｅｎｔ  Ｐｒｏｔｏｃｏｌ，ＳＮＭＰ）等）に基づいて、操作管理モジュール１５３＿１は、通信モジュール１５１を介して、対応する接続ポート１５１＿１〜１５１＿ＮによりＩＰ接続機器１１０および他のネットワークスイッチ１５０と通信し、ネットワークスイッチ１５０に関連する全てのリンク上のＩＰ接続機器１１０および他のネットワークスイッチ１５０をスキャンすることによって、デバイス情報（例えば、デバイス名、型番、コード番号、デバイスの種類、パワーオーバーイーサネット（Ｐｏｗｅｒ  ｏｖｅｒ  Ｅｔｈｅｒｎｅｔ，ＰｏＥ）情報等）、結合情報（例えば、ポート番号等）、ネットワーク構成（例えば、仮想ローカルエリアネットワーク（Ｖｉｒｔｕａｌ  Ｌｏｃａｌ  Ａｒｅａ  Ｎｅｔｗｏｒｋ，ＶＬＡＮ）、ＩＰアドレス、またはメディアアクセスコントロール（Ｍｅｄｉａ  Ａｃｃｅｓｓ  Ｃｏｎｔｒｏｌ，ＭＡＣ）アドレス等）を含む上記機器の関連情報を取得することができる。
【００３９】
言及すべきこととして、操作管理モジュール１５３＿１は、情報収集操作を周期的に（例えば、１分毎、１時間毎等）または特定のイベント（例えば、リンク上のＩＰ接続機器１１０が異常になった時等）に基づいて実行することができる。さらに、異なる設計要求に応じて、本発明の実施形態を応用する者は、使用する通信プロトコルの種類または取得したいＩＰ接続機器１１０の関連情報を変更することができる。
【００４０】
１つの実施形態において、グラフィカル管理インターフェースは、トポロジーモード、フロアモード、およびマップモード、またはその組み合わせのうちの１つを提供する。グラフィカル管理インターフェースの制御操作（例えば、クリック、選択、ドラッグ、ダブルクリック、情報入力等のユーザーインターフェース上の任意の操作）に応じて、管理インターフェースモジュール１５３＿３は、上述したモードのうちの１つを介してＩＰ接続機器１１０の関連情報を提示する。例えば、トポロジーモード、フロアモード、およびマップモードのうちの１つ、またはその組み合わせからのモードオプションは、グラフィカル管理インターフェース上に提供される。管理インターフェースモジュール１５３＿３は、モードオプション上の対応する制御操作を検出することにより、選択されたモードをグラフィカル管理インターフェース上に提示することができる。
【００４１】
例えば、図４Ａは、トポロジーモードの例である。図４Ａを参照すると、トポロジーモードは、制御操作に応じて選択されるため、ネットワークスイッチ１５０をマスター（ｍａｓｔｅｒ）端末とするトポロジー図は、情報収集操作を使用することによって得られたＩＰ接続機器１１０の関連情報に基づいて、管理インターフェースモジュール１５３＿３により確立され、トポロジー図ページ４１０で示される。ネットワークスイッチ１５０は、アイコン４１１で示され、ＩＰ接続機器１１０は、それぞれアイコン４１３＿１〜４１３＿８で示される。アイコン４１１およびアイコン４１３＿１〜４１３＿８のパターンは、デバイス情報に基づいて決定される。管理インターフェースモジュール１５３＿３は、アイコン４１１およびアイコン４１３＿１〜４１３＿８上の制御操作（例えば、クリック操作）を検出することにより、選択されたアイコンに対応するデバイス機能操作をさらに提供することができる。ネットワークスイッチ１５０およびＩＰ接続機器１１０の関連情報４１５（例えば、デバイス名、型番、ＩＰアドレス、接続ポート等）をトポロジー図ページ４１０に示してもよい。さらに、情報開示オプション４１７の制御操作（例えば、チェック操作）に応じて、管理インターフェースモジュール１５３＿３は、情報開示オプション４１７の選択に基づいて、ネットワークスイッチ１５０およびＩＰ接続機器１１０の関連情報４１５の中の取得したい情報を提示することができる。したがって、トポロジー図から全てのＩＰ接続機器１１０とネットワークスイッチ１５０の結合関係および配置関係を明確に理解することにより、ネットワーク管理者がＩＰ接続機器１１０およびネットワークスイッチ１５０をさらに設定および制御しやすくすることができる。
【００４２】
図４Ｂは、フロアモードの例である。図４Ｂを参照すると、フロアモードは、制御操作に応じて選択されるため、フロアページ４３０は、情報収集操作を使用することによって得られたＩＰ接続機器１１０の関連情報に基づいて、管理インターフェースモジュール１５３＿３により確立される。管理インターフェースモジュール１５３＿３は、まず、フロアプラン４３１を提供して、フロアページ４３０上のユーザーの制御操作（例えば、フロアプラン４３１上のネットワークスイッチ１５０およびＩＰ接続機器１１０の位置を設定する）を受信することができる。次に、ネットワークスイッチ１５０およびＩＰ接続機器１１０に対応するアイコン４３３およびアイコン４３５＿１〜４３５＿８をそれぞれフロアページ４３０に提示する。したがって、ネットワーク管理者は、機器が位置するフロアまたは場所を即座に見つけることができる。
【００４３】
さらに、図４Ｃは、マップモードの例である。図４Ｃを参照すると、マップモードは、制御操作に応じて選択されるため、マップページ４５０は、情報収集操作を使用することによって得られたＩＰ接続機器１１０の関連情報に基づいて、管理インターフェースモジュール１５３＿３により確立される。関連情報は、ＩＰ接続機器１１０およびネットワークスイッチ１５０の位置情報（例えば、世界測位システム（Ｇｌｏｂａｌ  Ｐｏｓｉｔｉｏｎｉｎｇ  Ｓｙｓｔｅｍ，ＧＰＳ）位置、緯度および経度等）を含み、ユーザーの入力操作により入力された位置を受信することによって得られる。あるいは、管理インターフェースモジュール１５３＿３は、マップページ４５０上でユーザーによって実行されたＩＰ接続機器１１０およびネットワークスイッチ１５０の位置に関する設定操作を受信することができる。管理インターフェースモジュール１５３＿３は、電子地図エンジン（例えば、グーグル（Ｇｏｏｇｌｅ）マップ、ビン（Ｂｉｎ）マップ、ヒア（Ｈｅｒｅ）マップ等）を介して電子地図４５１をロードするため、ＩＰ接続機器１１０およびネットワークスイッチ１５０に対応するアイコン４５３＿１〜４５３＿４を電子地図４５１に提示することができる。したがって、ネットワーク管理者は、ＩＰ接続機器１１０の実際の位置を即座に見つけることができる。
【００４４】
このことからわかるように、管理インターフェースモジュール１５３＿３は、異なるモードの提示方法で直観操作インターフェースをネットワーク管理者に提供することにより、様々な種類の大量のＩＰ接続機器１１０を管理しやすくすることができる。さらに、トポロジー図ページ４１０、フロアページ４３０、およびマップページ４５０のそれぞれをスクリーンショットで取り込む（例えば、ＪＰＧＥ、ＳＶＧ等の画像ファイルで保存する）、ことにより、ネットワーク管理者が後で応用しやすいようにすることができる。言及すべきこととして、トポロジー図ページ４１０、フロアページ４３０、およびマップページ４５０上の図、文字、および位置は、単なる例であり、異なる設計要求に応じて、本発明の実施形態を応用する者が変更してもよい。
【００４５】
また、管理インターフェースモジュール１５３＿３は、グラフィカル管理インターフェースを介して検索機能も提供する。管理インターフェースモジュール１５３＿３は、デバイス名、ＩＰアドレス、およびフロア番号を含む特殊文字の入力操作を受信することにより、ＩＰ接続機器１１０の関連情報をフィルタリングして、フィルタリング結果をグラフィカル管理インターフェースに提示することができる。
【００４６】
例えば、図５は、フィルタリングプログラムインターフェースの例である。図５を参照すると、管理インターフェースモジュール１５３＿３は、フィルタリングプログラムインターフェース５００におけるフロアオプション５１０（図４Ｂに示したフロアページ４３０に対する）およびデバイスオプション５３０上に作成された選択を受信することにより、選択と一致するフィルタリング結果をデバイス提示領域５５０に提示することができる。ＩＰ接続機器１１０およびネットワークスイッチ１５０の関連情報は、デバイス提示領域５５０に提示される。次に、管理インターフェースモジュール１５３＿３は、フィルタリングプログラムインターフェース５００のフィルタリング条件５４０の入力操作を受信することにより、フィルタリング結果をデバイス提示領域５５０にさらに提示することができる。例えば、フィルタリング条件５４０に「ＩＰカメラ」が入力された時、インターネットカメラに対応するデバイス情報５１１および５５３のみがデバイス提示領域５５０に提示される。
【００４７】
ＩＰ接続機器１１０の関連情報の他に、デバイス管理モジュール１５３＿１は、さらに、各ＩＰ接続機器１１０に対してトラフィック制御を実行することができる。デバイス管理モジュール１５３＿１は、異なる監視時間間隔（週、時間、分等）で各接続ポート１５１＿１〜１５１＿Ｎのアップリンクおよびダウンリンクのネットワーク速度およびトラフィックを記録する。管理インターフェースモジュール１５３＿３は、特定の時間間隔（例えば、１日、１週間等）内に異なるＩＰ接続機器１１０のトラフィックを棒グラフで表示することができるため、ネットワーク管理者は、問題がどこにあるかを迅速に知り、それによって、暴力ダウンロードの発生を防ぐことができる。さらに、デバイス管理モジュール１５３＿１は、ネットワークスイッチ１５０と各ＩＰ接続機器１１０間の、あるいはＩＰ接続機器１１０に関連する全リンクの接続状態をリアルタイムで検出することもでき、管理インターフェースモジュール１５３＿３は、グラフィカル管理インターフェース上に接続状態を迅速に提示する（例えば、特定のアイコン、線区、文字、画像等を使用して異常リンクを提示する）ことができるため、ネットワーク管理者は、問題を迅速に見つけることができる。
【００４８】
上述した情報収集操作において、デバイス管理モジュール１５３＿１は、ＩＰ接続機器１１０に対応する通信プロトコルまたは設定方法を既に知っているため、それに基づいて取得したい関連情報を得ることができる。つまり、未知のＩＰ接続機器１１０または他の未知のネットワークスイッチに関して、おそらくデバイス管理モジュール１５３＿１は、未知のＩＰ接続機器１１０の関連情報を取得するためにどの通信プロトコルまたは設定方法を採用しなければならないかがわからない。以下、未知のＩＰ接続機器１１０に対する情報収集操作について、さらに説明する。
【００４９】
１つの実施形態において、ＩＰ接続機器１１０の関連情報は、ネットワークアドレス情報（例えば、ＭＡＣアドレス、ＩＰアドレス等）を含む。デバイス管理モジュール１５３＿１は、ネットワークアドレス情報に基づいて、スクリプト（ｓｃｒｉｐｔ）プログラムを実行し、スクリプトプログラムを介して情報収集操作を実行する。詳しく説明すると、デバイス管理モジュール１５３＿１は、例えば、通信モジュール１５１を介してＡＲＰリクエストを送信することにより、未知のＩＰ接続機器１１０のＭＡＣアドレスを知り、ＭＡＣアドレスに基づいて、保存ユニット１５３内の対応するスクリプトを検索することができる。例えば、デバイス管理モジュール１５３＿１は、ＭＡＣアドレスに基づいてデバイス商標名を知り（例えば、ＭＡＣアドレスの最初の３つのコードがデバイス商標名を示す）、デバイス商標名に対応するスクリプトプログラムを検索することができる。スクリプトプログラムは、未知のＩＰ接続機器１１０から特定のファイル、データ、または情報を取得することができるため、デバイス管理モジュール１５３＿１は、特定のファイル、データ、または情報をさらに分析して、未知のＩＰ接続機器１１０の関連情報を取得することができる。したがって、ネットワークスイッチ１５０のトポロジー図に未知のＩＰ接続機器１１０または別の未知のネットワークスイッチが含まれてもよい。
【００５０】
次に、ステップＳ３３０において、グラフィカル管理インターフェース上のＩＰ接続機器１１０に対応する制御操作に応じて、デバイス管理モジュール１５３＿１は、通信モジュール１５１を介して制御操作に対応するデバイス機能操作を実行する。つまり、実際の操作中、ユーザーは、グラフィカル管理インターフェース上のＩＰ接続機器１１０に対応するアイコンまたは文字に対して制御操作を直接実行することにより、デバイス機能操作を実行することができる。本実施形態において、デバイス管理モジュール１５３＿１は、ネットワークプロトコルに基づいて制御操作に対応する制御信号を生成するとともに、通信モジュール１５１内の対応する接続ポート１５１＿１〜１５１＿Ｎを介して制御信号を送信し、デバイス機能操作を実行する。
【００５１】
詳しく説明すると、デバイス管理モジュール１５３＿１は、異なるＩＰ接続機器１１０に対して複数のデバイス機能操作を提供することができる。デバイス管理モジュール１５３＿１は、通信モジュール１５１を介してＩＰ接続機器１１０に対しデバイス機能操作を実行するため、デバイス管理モジュール１５３＿１は、デバイス機能操作およびＩＰ接続機器１１０によりサポートされたネットワークプロトコルまたは特定の設定方法を介してＩＰ接続機器１１０と通信し、それに基づいて対応する制御信号を生成しなければならない。ＩＰ接続機器１１０は、その後、制御信号に応じて、ネットワーク１５０のデバイス機能操作を受け取ることができる。
【００５２】
１つの実施形態において、デバイス機能操作は、構成設定操作を含む。デバイス管理モジュール１５３＿１は、通信モジュール１５１を介してＩＰ接続機器１１０に対し構成設定操作を実行することにより、制御操作に対応するＩＰ接続機器１１０を設定する。構成設定操作は、どの種類のネットワーク構成を使用してもよく、例えば、ＶＬＡＮ、ＩＰ、セキュアシェル（Ｓｅｃｕｒｅ  Ｓｈｅｌｌ，ＳＳＨ）、リモート認証ダイヤルインユーザー（Ｒｅｍｏｔｅ  Ａｕｔｈｅｎｔｉｃａｔｉｏｎ  Ｄｉａｌ  Ｉｎ  Ｕｓｅｒ  Ｓｅｒｖｉｃｅ，ＲＡＤＩＵＳ）、ダイナミックホストコンフィギュレーションプロトコル（Ｄｙｎａｍｉｃ  Ｈｏｓｔ  Ｃｏｎｆｉｇｕｒａｔｉｏｎ  Ｐｒｏｔｏｃｏｌ，ＤＨＣＰ）、簡易ネットワークタイムプロトコル（Ｓｉｍｐｌｅ  Ｎｅｔｗｏｒｋ  Ｔｉｍｅ  Ｐｒｏｔｏｃｏｌ，ＳＮＴＰ）等のネットワーク構成であるが、本発明の実施形態は上記に限定されない。未知のＩＰ接続機器１１０に対し、デバイス管理モジュール１５３＿１は、特定の交渉（ｎｅｇｏｔｉａｔｉｏｎ）プログラムにより、上述したスクリプトプログラムを介して構成設定操作を実行することもできる。
【００５３】
管理インターフェースモジュール１５３＿３は、グラフィカル管理インターフェース上のＩＰ接続機器１１０およびネットワークスイッチ１５０に対する制御操作を検出する。例えば、図４Ａのアイコン４１１、４１３＿１〜４１３＿８上のクリック操作を検出してもよい。管理インターフェースモジュール１５３＿３は、選択されたＩＰ接続機器１１０およびネットワークスイッチ１５０に対して対応するデバイス機能オプションを提供することができる。つまり、異なる種類のＩＰ接続機器１１０に対して異なるデバイス機能オプションを提供してもよい。
【００５４】
例えば、図６Ａは、デバイス機能オプションの例である。図４Ａおよび図６Ａを同時に参照すると、図４Ａのアイコン４１３＿２上のクリック操作に応じて、管理インターフェースモジュール１５３＿３は、ＩＰカメラに対応するデバイス機能ページ６１０を提示する。デバイス機能ページ６１０は、「デバイスの種類」、「デバイス名」、「型番」、「ＭＡＣアドレス」、「ＩＰアドレス」、「ｈｔｔｐポート」、および「ＰｏＥ情報」を含むＩＰカメラの関連情報６１１を提示することができ、「ログイン」、「診断」、「ストリーミング」、「リブート」、「ダッシュボード」、および「通知」を含むデバイス機能オプション６１３を提示することもできる。
【００５５】
図６Ｂは、デバイス機能オプションの別の例である。図４Ａおよび図６Ｂを同時に参照すると、図４Ａのアイコン４１３＿１上のクリック操作に応じて、管理インターフェースモジュール１５３＿３は、別のネットワークスイッチ１５０に対応するデバイス機能ページ６３０を提示する。デバイス機能ページ６３０は、「デバイスの種類」、「デバイス名」、「型番」、「ＭＡＣアドレス」、「ＩＰアドレス」、および「ＰｏＥ情報」を含む別のネットワークスイッチ１５０の関連情報６３１を提示することができ、「ログイン」、「デバイスを見つける」、「診断」、「ダッシュボード」、および「通知」を含むデバイス機能オプション６３３を提示することもできる。以下、様々な実施形態を参照しながら、デバイス機能操作６１３および６３３における対応するデバイス機能操作についてさらに詳しく説明する。
【００５６】
１つの実施形態において、デバイス機能操作は、ノード検索操作を含む。デバイス管理モジュール１５３＿１は、制御操作に対応するＩＰ接続機器１１０に基づいて、警告制御指令を含む制御信号を生成する。警告制御指令は、ＩＰ接続機器１１０または別のネットワークスイッチ１５０を制御して、警告行為（例えば、光を点滅させる、音を出す等）を実行するよう構成される。例えば、図６Ｂのデバイス機能オプション６３３における「デバイスを見つける」上のクリック操作に応じて、デバイス管理モジュール１５３＿１は、ＩＰ接続機器１１０上の光モジュール（例えば、少なくとも１つの発光ダイオード（Ｌｉｇｈｔ  Ｅｍｉｔｔｉｎｇ  Ｄｉｏｄｅ，ＬＥＤ）を有する）を制御するよう構成された警告制御指令を生成して、警告制御指令を含む制御信号をＩＰ接続機器１１０に送信する。ＩＰ接続機器１１０が警告制御指令を受信した時、その光モジュールは、警告制御指令に基づいて、光の点滅を開始することができる。また、デバイス管理モジュール１５３＿１は、別のネットワークスイッチ１５０上の同じまたは類似するノード検索操作も実行できるため、上述した別のネットワークスイッチ１５０は、警告行為を実行することができる。
【００５７】
言及すべきこととして、ＩＰ接続機器１１０または別のネットワークスイッチ１５０は、表示モジュール（例えば、液晶ディスプレイ（Ｌｉｑｕｉｄ  Ｃｒｙｓｔａｌ  Ｄｉｓｐｌａｙ，ＬＣＤ）、有機電界発光ディスプレイ（Ｏｒｇａｎｉｃ  Ｅｌｅｃｔｒｏ−Ｌｕｍｉｎｅｓｃｅｎｔ  Ｄｉｓｐｌａｙ，ＯＥＬＤ）等）、振動モジュール（例えば、振動モータを含むモジュール）、またはスピーカーモジュール（例えば、モノ（ｍｏｎｏ）またはステレオ（ｓｔｅｒｅｏ）スピーカー）のうちの１つ、あるいはその組み合わせを含んでもよく、対応する警告行為は、文字、画像、または図形を表示して警告取り決め（ｗａｒｎｉｎｇ  ａｒｒａｎｇｅｍｅｎｔ）を説明すること、固定周波数または変動周波数で振動を生成すること、またはプロンプト音を出すことを含む。異なる設計要求に応じて、本発明の実施形態を応用する者は、ＩＰ接続機器１１０に対して任意の種類の警告モジュールおよび警告行為を設計してもよい。したがって、大量のＩＰ接続機器１１０およびネットワークスイッチ１５０を配置する環境において、ユーザーは、警告行為を観察することによってＩＰ接続機器１１０を迅速に見つけることができる。
【００５８】
別の実施形態において、デバイス機能操作は、システムログイン操作を含む。デバイス管理モジュール１５３＿１は、システムログイン操作を実行し、通信モジュール１５１を介してＩＰ接続機器１１０にログインするとともに、ＩＰ接続機器１１０の管理システムに対してプロキシ操作を実行する。例えば、図６Ｂのデバイス機能オプション６３３における「ログイン」上のクリック操作に応じて、デバイス管理モジュール１５３＿１は、ログイン情報（例えば、アカウント、パスワード等）を含む制御信号およびそのＩＰ接続機器１１０の他のログイン関連設定情報を生成して、そのＩＰ接続機器１１０に制御信号を送信する。
【００５９】
ＩＰ接続機器１１０にログインした後、ＩＰ接続機器１１０が別のネットワークスイッチ１５０である場合、管理インターフェースモジュール１５３＿３は、上述した別のネットワークスイッチ１５０のグラフィカル管理インターフェースをロードして、上述した別のネットワークスイッチ１５０をマスター端末としてトポロジー図を確立することにより、プロキシ操作の目的を達成する。さらに、上述した異なる提示モード、ノード検索操作、情報収集操作、およびシステムログイン操作を含む操作は、別のネットワークスイッチ１５０をマスター端末として使用する方法で別のネットワークスイッチ１５０のグラフィカル管理インターフェースを使用することによって制御してもよい。ＩＰ接続機器１１０が別のネットワークスイッチ１５０でない場合、管理インターフェースモジュール１５３＿３は、そのＩＰ接続機器１１０が所有する管理システムをロードする。つまり、ユーザーは、上述した別のＩＰ接続機器１１０に接続線を接続せずに、ネットワークスイッチ１５０に対して別のＩＰ接続機器１１０の管理システムを直接操作してもよい。
【００６０】
管理インターフェースモジュール１５３＿３を埋め込んだいくつかのネットワークスイッチ１５０に失敗が生じた応用事例では、作動中のネットワークスイッチ１５０に対してシステムログイン操作を実行することにより、作動中のネットワークスイッチ１５０に対応するトポロジー図を取得し、これらのログインしたネットワークスイッチ１５０に管理タスクを実行することができる。
【００６１】
さらに別の実施形態において、デバイス機能操作は、トラブルシューティング操作を含む。例えば、図６Ａのデバイス機能オプション６１３における「診断」上のクリック操作に応じて、デバイス管理モジュール１５３＿１は、通信モジュール１５１を介してＩＰ接続機器１１０に対応する全てのリンク（ＩＰ接続機器１１０に直接または間接的に接続する通信経路）の状態（例えば、接続が中断されたかどうか、トラフィックが大きすぎないかどうかに関する情報）を監視し、管理インターフェースモジュール１５３＿３は、グラフィカル管理インターフェースを介して、リンク、リンク上の全てのＩＰ接続機器１１０、および対応するリンク状態を提示する。例えば、グラフィカル管理インターフェースは、異常状態を表示する特定の文字、色、またはパターンを提示することができる。
【００６２】
さらに別の実施形態において、デバイス機能操作は、マルチメディアストリーミング操作を含む。例えば、図６Ａのデバイス機能オプション６１３における「ストリーミング」上のクリック操作に応じて、デバイス管理モジュール１５３＿１は、通信モジュール１５１を介して、ＩＰ接続機器１１０（例えば、ＩＰカメラ）に対応するマルチメディアストリーミング関連情報を含む制御信号を送信する。次に、管理インターフェースモジュール１５３＿３は、その後、グラフィカル管理インターフェース上のＩＰカメラの現撮像画像を提示することができる。別の例において、本発明の実施形態に基づくマルチメディアストリーミング操作を介して、グラフィカル管理インターフェース上で音声のみ、または動画と音声の組み合わせを有するマルチメディアストリームの両方を再生してもよい。
【００６３】
別の実施形態において、デバイス機能操作は、電源管理操作を含む。例えば、図６Ａのデバイス機能操作６１３における「リブート」上のクリック操作に応じて、デバイス管理モジュール１５３＿１は、通信モジュール１５１を介してＩＰ接続機器１１０に対応するＰｏＥプロトコルを含む制御信号を送信する。次に、ＩＰ接続機器１１０は、上記の制御信号に応じてリブートする。さらに、シャットダウン、スリープ、ウェークアップを含む別の電源管理を全て本発明の実施形態において実施してもよい。一方、デバイス管理モジュール１５３＿１は、さらに、通信モジュール１５１を介してＩＰ接続機器１１０のＰｏＥ関連情報（例えば、電源供給、電源消費等）を取得することができる。
【００６４】
言及すべきこととして、デバイス機能操作の「ダッシュボード」および「通知」は、性能（例えば、速度、トラフィック等）監視チャートおよび特定のイベント（例えば、シャットダウン、過大トラフィック、異常接続、異常電源供給、ネットワークアタック等）通知をそれぞれ提供することができる。また、異なる設計要求に応じて、本発明の実施形態を応用する者がデバイス機能操作および制御信号の内容を変更してもよい。
【００６５】
一方、１つの実施形態において、ファイルアクセスモジュール１５３＿５は、ＩＰ接続機器１１０が通信モジュール１５１を介して保存ユニット１５３内のファイルにアクセスできるようにすることができる。詳しく説明すると、ＩＰ接続機器１１０が通信モジュール１５１を介して保存ユニット１５３内のファイルにアクセスできるようにするだけでなく、ファイルアクセスモジュール１５３＿５は、グラフィカル管理インターフェース上のファイルアクセス行為を介して、ネットワークスイッチ１５０の保存ユニット１５３にファイルを保存することもできる。例えば、図４Ａのトポロジー図４１０のスクリーンショットファイルを保存ユニット１５３に保存してもよい。つまり、マスター端末として機能するネットワークスイッチ１５０は、保存ユニット１５３内のファイルをＩＰ接続機器１１０または他のネットワークスイッチに共有することができる。別のネットワークスイッチ１５０がスレーブ（ｓｌａｖｅ）端末からマスター端末に変わる（例えば、その管理システムにログインする）時、別のネットワークスイッチ１５０の保存ユニット１５３内のファイルをＩＰ接続機器１１０およびネットワークスイッチ１５０に共有してもよい。
【００６６】
以上のように、本発明の実施形態に基づくネットワークスイッチ、デバイス管理システム、およびそのデバイス管理方法は、ネットワークスイッチに埋め込まれたグラフィカル管理インターフェースを含むネットワーク管理システム（ＮＭＳ）およびデバイス管理システム（ＤＭＳ）により、可視インターフェースを介して直観操作を提供することができるため、ネットワーク管理者は、より便利に管理を行うことができる。グラフィカル管理インターフェースは、トポロジーモード、フロアモード、およびマップモードを提供することにより、大量のＩＰ接続機器を配置および設計する時の難度を下げることができる。さらに、異なるＩＰ接続機器に対して対応するデバイス管理オプションを提供してもよい。ネットワーク設定の他に、様々なデバイス管理操作（例えば、「デバイスを探す」、「ログイン」、「トラブルシューティング」等）を全てグラフィカル管理インターフェースで管理してもよい。一方、本発明の実施形態に基づいて、ネットワークスイッチの資源を共有してもよい。その結果、本発明の実施形態に基づいて、高速検出、簡易操作、大量管理を含む効果が得られ、革新的かつ便利なデバイス管理をネットワーク管理者に提供することができる。
【産業上の利用可能性】
【００６７】
本発明は、ネットワークスイッチにネットワーク管理システム（ＮＭＳ）およびデバイス管理システム（ＤＭＳ）を埋め込むことにより、ネットワーク管理者または一般大衆さえもＩＰ接続機器をより便利に操作できるようにすることのできるネットワークスイッチ、デバイス管理システム、およびそのデバイス管理方法を提供する。
【００６８】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【符号の説明】
【００６９】
１００  デバイス管理システム
１１０  ＩＰ接続装置
１５０  ネットワークスイッチ
１５１  通信モジュール
１５１＿１〜１５１＿Ｎ  接続ポート
１５３  保存ユニット
１５３＿１  デバイス管理モジュール
１５３＿３  管理インターフェースモジュール
１５３＿５  ファイルアクセスモジュール
１５５  処理ユニット
Ｓ３１０〜Ｓ３３０  ステップ
４１０  トポロジー図ページ
４１１、４１３＿１〜４１３＿８、４３３、４３５＿１〜４３５＿８、４５３＿１〜４５３＿４  アイコン
４１５  ネットワークスイッチおよび接続機器の関連情報
４１７  情報開示オプション
４３０  フロアページ
４３１  フロアプラン
４５０  マップページ
４５１  電子地図
５００  フィルタリングプログラムインターフェース
５１０  フロアオプション
５３０  デバイスオプション
５４０  フィルタリング条件
５５０  デバイス提示領域
５５１、５５  デバイス情報
６１０、６３０  デバイス機能ページ
６１１  ＩＰカメラの関連情報
６１３、６３３  デバイス機能オプション
６３１  ネットワークスイッチの関連情報
【図１】
0006347813.tif 000002
【図２】
0006347813.tif 000003
【図３】
0006347813.tif 000004
【図４Ａ】
0006347813.tif 000005
【図４Ｂ】
0006347813.tif 000006
【図４Ｃ】
0006347813.tif 000007
【図５】
0006347813.tif 000008
【図６Ａ】
0006347813.tif 000009
【図６Ｂ】
0006347813.tif 000010